(57)【特許請求の範囲】
【請求項１】
下型を支持した下部テーブルと、上型を支持した上部テーブルとを備えると共に、前記上下の金型によって折曲げ加工されるワークの位置決めを行う複数のバックゲージを、前記下部テーブルの後方位置において前後，上下，左右方向へ個別に移動可能に備えたプレスブレーキであって、前記バックゲージの移動領域内に、ワークの突き当てを行うためのワーク当接面を備えて左右方向に長い長尺部材によって構成された突当て部材を格納する突当て部材格納部を備え、前記各バックゲージに、前記突当て部材を保持するための突当て部材保持手段を備えると共にワークを当接してワークの位置決めを行うためのワーク当接部を備え、前記バックゲージによって前記突当て部材を保持した状態において前記バックゲージを左右方向に移動することによって、プレスブレーキにおけるサイドフレームの左右方向の外側へ前記突当て部材を突出可能に構成してあることを特徴とするプレスブレーキ。
【請求項２】
請求項１に記載のプレスブレーキにおいて、前記突当て部材格納部は、前記下部テーブルの背面に備えられていることを特徴とするプレスブレーキ。
【発明の詳細な説明】
【技術分野】
【０００１】
本発明は、プレスブレーキに係り、さらに詳細には、複数のバックゲージを、前後，上下，左右方向へ個別に移動可能に備えているプレスブレーキに関する。
【背景技術】
【０００２】
プレスブレーキは、Ｃ形状の左右のサイドフレームの上側に上部テーブルを備え、下側に下部テーブルを備えた構成である。そして、上部テーブル又は下部テーブルの一方を上下動自在な可動テーブル（ラム）に構成してあって、上部テーブルに備えた上型と下部テーブルに備えた下型によって板状のワークを挟み込むことにより、ワークの折曲げ加工を行う構成である。そして、前記ワークの前後方向の位置決めを行うときに、ワークの後端部を当接し位置決めするためのバックゲージが、前記下部テーブルの後方に前後動自在に備えられている（特許文献１参照）。
【特許文献１】特開平１０−３４２４２号公報
【発明の開示】
【発明が解決しようとする課題】
【０００３】
プレスブレーキにおけるバックゲージは、下部テーブルの後方で左右のサイドフレームの間において前後，左右，上下に移動するものである。したがって、サイドフレームより外側においてワークの突当て位置決めを行うことができないという問題がある。さらに、バックゲージは一対であることが一般的であるので、バックゲージが左右に大きく離れた状態において、ワークの左右方向の中央部を保持してバックゲージに突き当てると、ワークの中央部が後方向へ突出するように湾曲することがあるという問題がある。
【課題を解決するための手段】
【０００４】
本発明は、前述のごとき問題に鑑みてなされたもので、下型を支持した下部テーブルと、上型を支持した上部テーブルとを備えると共に、前記上下の金型によって折曲げ加工されるワークの位置決めを行う複数のバックゲージを、前記下部テーブルの後方位置において前後，上下，左右方向へ個別に移動可能に備えたプレスブレーキであって、前記バックゲージの移動領域内に、ワークの突き当てを行うためのワーク当接面を備えて左右方向に長い長尺部材によって構成された突当て部材を格納する突当て部材格納部を備え、前記各バックゲージに、前記突当て部材を保持するための突当て部材保持手段を備えると共にワークを当接してワークの位置決めを行うためのワーク当接部を備え、前記バックゲージによって前記突当て部材を保持した状態において前記バックゲージを左右方向に移動することによって、プレスブレーキにおけるサイドフレームの左右方向の外側へ前記突当て部材を突出可能に構成してあることを特徴とするものである。
【０００６】
また、前記プレスブレーキにおいて、前記突当て部材格納部は、前記下部テーブルの背面に備えられていることを特徴とするものである。
【発明の効果】
【０００７】
本発明によれば、バックゲージのワーク当接部にワークを当接してワークの位置決めを行うことにより、通常のバックゲージと同様に使用することができる。そして、バックゲージの突当て部材保持部に突当て部材を保持した状態においては、バックゲージを左右方向へ移動することにより、突当て部材の端部を、プレスブレーキにおけるサイドフレームから左右方向の外側へ突出することができる。
【０００８】
したがって、サイドフレームの外側においてワークを突当て部材に突き当てて位置決めを行うことができる。また、突当て部材の全長に亘ってワークを当接して位置決めすることができる。
【発明を実施するための最良の形態】
【０００９】
以下、図面を用いて本発明の実施形態に係るプレスブレーキについて説明するに、プレスブレーキの全体的構成は、一般的なプレスブレーキと同様の構成である。すなわち、図１に示すように、プレスブレーキ１は、Ｃ形状の左右のサイドフレーム３Ｌ，３Ｒの上部に上部テーブル５を備え、サイドフレーム３Ｌ，３Ｒの下部に下部テーブル７を備えた構成である。
【００１０】
前記上部テーブル５又は下部テーブル７の一方は上下動自在な可動テーブル（ラム）として構成されている。本実施形態においては、上部テーブル５が上下動する構成であって、前記上部テーブル５を上下動するために、前記サイドフレーム３Ｌ，３Ｒの上部には、例えば油圧シリンダー等のごとき上下動用アクチュエータ９Ｌ，９Ｒが装着してある。そして、板状のワークＷの折曲げ加工を行うために、前記上部テーブル５の下部には上型１１が装着してあり、下部テーブル７の上部には下型１３が装着してある。なお、図１より理解されるように、前記上部テーブル５及び下部テーブル７の左右両側は、前記サイドフレーム３Ｌ，３Ｒから左右方向に突出してある。
【００１１】
前記上型１１と下型１３とによってワークＷの折曲げ加工を行うときに、ワークＷの前後方向の位置決めを行うためのバックゲージが前後，左右，上下方向へ移動自在に備えられている。より詳細には、図２，３に概念的，概略的に示すように、前記下部テーブル７の後側には左右方向（図３において紙面に垂直な方向）に長いガイドレール１５が設けてあり、このガイドレール１５には、左右のスライダ１７Ｌ，１７Ｒが左右方向へ移動可能に備えられている。
【００１２】
なお、前記ガイドレール１５は、下部テーブル７の背面に設けられているが、ガイドレール１５は、左右のサイドフレーム３Ｌ，３Ｒに左右両端側を支持された構成でも、また、例えばベースプレート（図示省略）上に敷設された構成でもよい。要は、ガイドレール１５は、左右のスライダ１７Ｌ，１７Ｒを左右方向へ移動案内する機能を有すればよいものである。前記左右スライダ１７Ｌ，１７Ｒは、例えばサーボモータによって回転されるボールネジ機構或はリニアモータなどのごとき左右移動装置（図示省略）によって、個別に左右方向へ移動自在に構成してある。
【００１３】
前記左右スライダ１７Ｌ，１７Ｒは、前後方向（図１，図２において左右方向）に長く構成してあり、この左右のスライダ１７Ｌ，１７Ｒには前後方向のガイド部１９Ｌ，１９Ｒが備えられている。前記左右のスライダ１７Ｌ，１７Ｒには、前記ガイド部１９Ｌ，１９Ｒに沿って前後動自在な前後スライダ２１Ｌ，２１Ｒがそれぞれ支持されており、この左右の前後スライダ２１Ｌ，２１Ｒには上下スライダ２３Ｌ，２３Ｒがそれぞれ上下動自在に装着されている。
【００１４】
前記前後スライダ２１Ｌ，２１Ｒは、例えばリニアモータ或はサーボモータによって回転されるボールネジ機構などのごとき前後移動装置（図示省略）によって個別に前後方向へ移動自在に構成してある。また、前記上下スライダ２３Ｌ，２３Ｒは、前記前後動装置と同様構成の上下動装置（図示省略）によって個別に上下動自在に構成してある。
【００１５】
左右の前記上下スライダ２３Ｌ，２３Ｒには、突当て部材２５を保持（把持）するための突当て部材保持手段２７Ｌ，２７Ｒがそれぞれ装着してある。上記突当て部材保持手段２７Ｌ，２７Ｒは、ワークＷの前後方向の位置決めを行うためのバックゲージを構成するものであって、前記突当て部材２５を保持可能な開閉自在な上下ジョー２９Ｕ，２９Ｌ（図４参照）を備えた構成である。そして、前記上下ジョー２９Ｕ，２９Ｌの前面は、ワークＷを当接自在なワーク当接面（ワーク当接部）に形成してある。換言すれば、バックゲージ自体に、突当て部材２５を保持するための突当て部材保持手段２７Ｌ，２７Ｒを備えると共にワークＷを当接してワークＷの位置決めを行うためのワーク当接部を備えた構成である。
【００１６】
以上のごとき説明より理解されるように、例えばＮＣ装置などのごとき制御装置（図示省略）の制御の下に、左右のスライダ１７Ｌ，１７Ｒを左右方向へ移動位置決めすると共に、左右の前後スライダ２１Ｌ，２１Ｒを前後方向に移動位置決めし、かつ左右の上下スライダ２３Ｌ，２３Ｒを上下方向に移動位置決めすることにより、左右の突当て部材保持手段２７Ｌ，２７Ｒを、左右方向（Ｘ軸方向），前後方向（Ｙ軸方向）及び上下方向（Ｚ軸方向）に個別に移動位置決めすることができる。
【００１７】
したがって、例えばワークＷの後端縁に前後方向の段差部が形成してある場合には、その段差部に対応して左右の突当て部材保持手段２７Ｌ，２７Ｒを前後に位置をずらすことができ、容易に対応することができるものである。また、プレスブレーキ１におけるサイドフレーム３Ｌ，３Ｒの間において上下のテーブル５，７に複数の金型１１，１３を左右方向に適宜間隔に配置してステップベンドを行う場合には、各金型１１，１３の配置位置に対応して、突当て部材保持手段２７Ｌ，２７Ｒを左右方向へ移動位置決めし、ワークＷの前後方向の位置決めを行うことができるものである。
【００１８】
前記突当て部材２５は、左右方向に長い長尺部材により構成してあって、この突当て部材２５には、ワークＷを突当てるためのワーク当接面３１を備えていると共に、前記上下ジョー２９Ｕ，２９Ｌによって保持（把持）される被保持部３３を備えている。そして、前記突当て部材２５は、バックゲージとしての前記突当て部材保持手段２７Ｌ，２７Ｒの移動領域内に備えられた突当て部材格納部３５に格納されている。上記突当て部材格納部３５は、本例においては、前記下部テーブル７の背面に、突当て部材２５を支持する支持ブラケット３７を備えることによって構成してある。
【００１９】
上記構成により、左右の突当て部材保持手段２７Ｌ，２７Ｒによって突当て部材２５を保持した状態においては、図４（Ｂ）及び図５（Ｃ）に示すように、突当て部材２５のワーク当接面３１にワークＷを当接してワークＷの前後方向の位置決めを行うことができる。この場合、ワークＷを、突当て部材２５の左右方向の全長に亘って当接することができる。したがって、ワークＷの左右方向のほぼ中央部を保持してワークＷを突当て部材２５に当接したとき、ワークＷの左右方向の中央部付近が後方向へ凸状に湾曲変形することを防止でき、正確な位置決めを行うことができるものである。すなわち、例えば左右方向に細長く前後方向に変形を生じ易いワークの場合であっても、上記変形を抑制した状態でもってワークの前後方向の位置決めを行うことができるものである。
【００２０】
また、前記構成により、図５（Ｄ）に示すように、突当て部材２５の一端側をサイドフレーム３Ｌ，３Ｒの左右方向の外側へ突出することができ、前記サイドフレーム３Ｌ，３Ｒ付近においてワークＷの折曲げ加工を行う場合においても、ワークＷの前後方向の位置決めを行うことができるものである。
【００２１】
なお、前記突当て部材２５の一端側をサイドフレーム３Ｌ，３Ｒの外側へ突出する動作は、図５（Ａ），（Ｂ）に示すように、左右の突当て部材保持手段２７Ｌ，２７Ｒによって突当て部材２５を保持するときに、左右の突当て部材保持手段２７Ｌ，２７Ｒを、突当て部材２５の他端側へ寄せて突当て部材２５を保持した後、左右スライダ１７Ｌ，１７Ｒを同期して同方向へ移動することによって行われる。又は、左右の突当て保持手段２７Ｌ，２７Ｒによって突当て部材２５を保持した後、一方の突当て保持手段２７Ｒ（又は２７Ｌ）を開き、他方の突当て保持手段２７Ｌ（又は２７Ｒ）によって突当て部材２５を左右方向に移動することによっても可能である。
【００２２】
以上のごとき説明より理解されるように、前後，左右，上下方向へ個別に移動位置決め自在なバックゲージとしての突当て部材保持手段２７Ｌ，２７ＲにワークＷを当接してワークＷの前後方向の位置決めを行うことができるので、ワークＷの突当て部に前後方向の段差部が形成してあるような場合であっても容易に対応し得るものである。また、前記突当て部材２７Ｌ，２７Ｒに長尺の突当て部材２５を保持し、この突当て部材２５のワーク当接面３１にワークＷを当接して前後方向の位置決めを行うので、例えばワークＷの当接部を全長に亘って突当て部材２５に当接することができる。さらに、突当て部材２５の一端側をサイドフレーム３Ｌ，３Ｒの左右方向の外側へ突出することができ、サイドフレーム３Ｌ，３Ｒの外側においてもワークＷの位置決めを行うことができるものである。
【００２３】
ところで、本発明は、前述したごとき実施形態に限ることなく、適宜の変更を行うことにより、その他の態様でも実施可能である。例えば、前記突当て部材２５の被保持部３３の構成は、左右方向に長い溝の構成とすることも可能である。この場合、左右の突当て部材保持手段２７Ｌ，２７Ｒにおける上下のジョー２９Ｕ，２９Ｌが前記溝内に入って上下に開動作することによって突当て部材２５を保持（把持）する構成とすればよいものである。
【００２４】
また、前記突当て部材２５の被保持部３３の構成として、突当て部材２５の長手方向に適宜ピッチで多数の突出部又は孔を備えた構成とすることも可能である。この場合、突当て部材保持手段２７Ｌ，２７Ｒにおける上下のジョー２９Ｕ，２９Ｌによって突出部を保持する構成、又は突当て部材保持手段２７Ｌ，２７Ｒに開閉自在なコレットチャックを備え、このコレットチャックによって前記突出部を保持する構成とすることも可能である。そして、前記被保持部３３が孔の構成である場合には、突当て部材保持手段２７Ｌ，２７Ｒに、前記孔に係合離脱可能なピン等の係合部材を備えた構成とすることも可能である。
【００２５】
さらには、突当て部材保持手段２７Ｌ，２７Ｒに電磁石等を備えて突当て部材２５を磁着する構成とすることも可能である。すなわち種々の変更を行うことができるものである。
【図面の簡単な説明】
【００２６】
【図１】プレスブレーキの全体的構成を示す説明図である。
【図２】本発明の実施形態に係るプレスブレーキの主要部分を示す平面説明図である。
【図３】同上の側面説明図である。
【図４】ワークの位置決めを行う場合の説明図である。
【図５】突当て部材を使用するときの動作説明図である。
【符号の説明】
【００２７】
１  プレスブレーキ
３Ｌ，３Ｒ  サイドフレーム
５  上部テーブル
７  下部テーブル
１１  上型
１３  下型
１７Ｌ，１７Ｒ  左右スライダ
２１Ｌ，２１Ｒ  前後スライダ
２３Ｌ，２３Ｒ  上下スライダ
２５  突当て部材
２７Ｌ，２７Ｒ  突当て部材保持手段
３１  ワーク当接面
３３  被保持部
３５  突当て部材格納部
【図１】
0004824977.tif 000002
【図２】
0004824977.tif 000003
【図３】
0004824977.tif 000004
【図４】
0004824977.tif 000005
【図５】
0004824977.tif 000006